(57)【要約】【課題】簡易な構成で安価に提供でき、衛生的で、かつ、凍結と解凍が繰り返されても水道管の破裂を防止できる信頼性に優れた凍結破裂防止機能付き水道管ユニット等を提供する。【解決手段】少なくとも水道管（図５では図示せず）と継手31を備えた水道管ユニット12であって、継手31の流水路と連通させて上方に設けたガス室と、このガス室の筐体410の天井部に設けたガス注入弁５とからなり、継手31の流水路を水道水で満たした状態でガス室の内部に不活性ガスを注入充填してなる凍結破裂防止機能付き水道管ユニット12とした。また、ガス室の内部に、一端側71をガス注入弁５と連通接続した状態でガス注入細管７を垂設し、このガス注入細管７の長さは、注入ガス噴出口となる他端側72が継手31の流水路に到達する長さとすることが好ましい。【選択図】図５
2007308992.tif 000002
【特許請求の範囲】
【請求項１】
少なくとも水道管と継手を備えた水道管ユニットであって、
前記継手の流水路と連通させて流水路の上方に設けたガス室と、
該ガス室を構成する筐体の上部に設けたガス注入弁とからなり、
前記継手の流水路を水道水で満たした状態で前記ガス室の内部に不活性ガスが注入充填されている凍結破裂防止機能付き水道管ユニット。
【請求項２】
ガス室の内部に、一端側をガス注入弁と連通接続した状態でガス注入細管を設け、
前記ガス注入細管の長さは、注入ガス噴出口となる他端側が継手の流水路に到達する長さである請求項１記載の凍結破裂防止機能付き水道管ユニット。
【請求項３】
ガス注入細管は、銅製である請求項２記載の凍結破裂防止機能付き水道管ユニット。
【請求項４】
少なくとも、ガス室を構成する筐体を透明な樹脂材料で構成した請求項１〜３のいずれか記載の凍結破裂防止機能付き水道管ユニット。
【請求項５】
少なくとも、ガス室を構成する筐体に縦長状の水位確認窓を設けた請求項１〜３のいずれか記載の凍結破裂防止機能付き水道管ユニット。
【請求項６】
不活性ガスは窒素ガス、二酸化炭素ガス、又はこれらの混合ガスである請求項１〜５のいずれか記載の凍結破裂防止機能付き水道管ユニット。
【請求項７】
継手の流水路と連通させて流水路の上方に設けたガス室と、
該ガス室の内部に不活性ガスを注入充填するため、前記ガス室を構成する筐体の上部に設けたガス注入弁と、
前記ガス室の内部に、一端側を前記ガス注入弁と連通接続した状態で設けたガス注入細管とからなり、
前記ガス注入細管の長さは、注入ガス噴出口となる他端側が継手の流水路に到達する長さであるガス室付き継手。
【請求項８】
継手の流水路と連通させて流水路の上方にガス室を設け、
前記継手の流水路を水道水で満たした状態で前記ガス室に不活性ガスを注入充填しておくことで、
流水路内部の水道水とガス室内部の不活性ガスを直接的に接触させ、水道水の凍結による体積膨張を不活性ガスの体積収縮によって吸収させて水道管ユニットの凍結破裂を防止する方法。
【発明の詳細な説明】
【技術分野】
【０００１】
本発明は、流水路内の水道水が凍結しても破裂しにくい凍結破裂防止機能付き水道管ユニットに関する。また、水道水の凍結による水道管ユニットの破裂を防止する方法に関する。
【背景技術】
【０００２】
寒冷地では、水道管の凍結破裂による事故が多発している。これは、水道管流水路内の水道水が凍結して体積膨張し、この体積膨張に水道管が追従できなかったことで生じた事故である。このような水道管の凍結破裂を防止するために、従来から様々な手法が検討されてきた。
【０００３】
特許文献１には、「配水管を接続した連結体の一端側に流通路に連絡させた空気室を設け、この空気室には水圧に打ち勝ち、かつ凍結時の膨張圧力に対して吸収できるような通路側に向かつて押圧する吸収用のスプリングを用い封水処置を備えたプランジャーを摺嵌した配水回路における凍結破壊防止装置」が開示されている。そして、これによって「水の凍結による膨張時に発生する膨張分の内部圧力を吸収して凍結による配水管や止水栓等の損傷を未然に防止できる。」と記載されている。
【０００４】
また、特許文献２には、「継手に流路と連通する圧力空気室を設け、その連通部に平衡ピストンを設けたことを特徴とする水道管の凍結破壊防止器」が開示されている。そして、これによって「水道管に係る凍結破壊を何らの面倒な操作も必要なく確実に防止できるようになり、これと同時に水道管或いは継手に過度の強度を与える必要も除去できるようになるものである。」と記載されている。
【０００５】
【特許文献１】実開昭５４−１２２１１７号公報
【特許文献２】実開昭５４−９９４５６号公報
【発明の開示】
【発明が解決しようとする課題】
【０００６】
しかし、上記特許文献１に開示された凍結破壊防止装置は、吸収用のスプリングや封水処理を備えたプランジャー等が必要であり、比較的複雑な構成となるため安価に提供できなかった。また、プランジャーを摺嵌させるために弁棹の案内孔を筐体に設ける必要があり、外部の細菌等がこの案内孔から空気室に侵入繁殖してスプリングやプランジャーが汚染されることがあり、特に、水道管として用いる場合は衛生上問題があった。
【０００７】
また、上記特許文献２に開示された水道管の凍結破壊防止器は、先程の特許文献１に開示された凍結破壊防止装置と比較すると、簡単な構成で済む。しかし、凍結と解凍を繰り返すと凍結破壊を防止する効果が薄れるものであった。即ち、オーリングを介して平衡ピストンを継手の連通部に装着する本発明は、凍結と解凍が繰り返されることで、圧力空気室内部の圧力空気がオーリングと平衡ピストンの刷接箇所から徐々に流水路側に漏れ出し、平衡ピストンが流水路側に復帰しなくなる場合があったのである。
【０００８】
本発明はこれら上記課題を解決するものであり、簡易な構成で安価に提供でき、衛生的で、かつ、凍結と解凍が繰り返されても水道管等の破裂を防止できる信頼性に優れた凍結破裂防止機能付き水道管ユニットを提供するものである。また、このような水道管ユニットを実現するためのガス室付き継手を提供するものである。さらに、水道管ユニットの凍結破裂を防止する方法を提供するものである。
【課題を解決するための手段】
【０００９】
上記課題を解決するために本発明の水道管ユニットは、少なくとも水道管と継手を備えた水道管ユニットであって、継手の流水路と連通させて流水路の上方に設けたガス室と、ガス室を構成する筐体の上部に設けたガス注入弁とからなり、継手の流水路を水道水で満たした状態でガス室の内部に不活性ガスが注入充填されている凍結破裂防止機能付き水道管ユニットとした。
【００１０】
簡易な構成で安価に提供できる水道管ユニット等を実現するためには、極力シンプルな構成とする必要があった。そこで、本願発明者は、プランジャーや平衡ピストンを用いずに、これらと同様の効果を得る事ができないものか鋭意研究開発を重ねた。そして、流水路内部の水道水と、ガス室内部に注入充填された不活性ガス（以降充填ガスと称する）とを直接的に接触させ、水道水の凍結による体積膨張を充填ガスの体積収縮によって吸収緩和させるという技術的思想に到達した。上記本願発明はこの技術的思想を基本に、さらに検討を押し進めて具現化したものであり、プランジャーや平衡ピストンを用いない構成であっても、凍結破裂を防止することができるため、簡易な構成で安価に提供でき、衛生的で、かつ、信頼性にも優れた水道管ユニットを実現するものである。
また、継手の流水路内の水道水と充填ガスを直接的に接触させる本願発明では、充填ガスが、ガス室の内部に留まるようにするため、継手の流水路の上方にガス室を設けておく必要がある。ここで、「上方」とは、真上という意味だけではなく、重力方向に対してより高い位置、即ちポテンシャルエネルギーが高くなる位置であることをいう。
さらに、水道水と充填ガスを直接的に接触させる本願発明では、長期間水道水が滞留すると充填ガスの種類によっては、流水路内に細菌を繁殖させることになりかねない。このような事態を防止するため、継手の流水路を水道水で満たした状態でガス室の内部に不活性ガスが注入充填されている。これによって、より衛生的な水道管ユニットを提供できる。不活性ガスは、ガス室を構成する筐体の上部に設けたガス注入弁から注入充填される。ガス注入弁は筐体の天井部に設けることが好ましい。
【００１１】
継手は、直線状継手はもちろんのこと、三方が筒状に開口するＴ型継手やＹ型継手を用いることができる。Ｔ型継手やＹ型継手を用いる場合、筒状に開口する任意の二方に水道管等を接続し、残りの一方の配管部をガス室と連通するガス室連通部とすればよい。この場合、ガス室連通部は継手の一部であると同時に、ガス室を構成する筐体の一部を構成することになる。
【００１２】
このとき、ガス室の内部に、一端側をガス注入弁と連通接続した状態でガス注入細管を設け、ガス注入細管の長さは、注入ガス噴出口（不活性ガス噴出口）となる他端側が継手の流水路に到達する長さである凍結破裂防止機能付き水道管ユニットとすることができる。ガス注入細管の他端側が継手の流水路に到達する長さであるということは、この他端側は、継手の流水路を満たした水道水に浸漬している状態となる。ガス注入弁を筐体の天井部に設けた場合、ガス注入細管は、ガス室の内部に垂設される。
【００１３】
ガス注入弁の種類等によっては、水道水の凍結によって圧縮された充填ガスが、徐々にではあるが、ガス注入弁を逆流して外部に漏れる可能性も考えられる。そこで、一端側をガス注入弁と連通接続した状態でガス注入細管を設け、他端側（注入ガス噴出口側）を継手の流水路に到達した構成とすることで、他端側（注入ガス噴出口側）が流水路内の水道水に浸漬した状態となり、ガス注入弁からの充填ガスの漏れを防止することができる。これによって、より信頼性に優れた水道管ユニットを提供することができる。
【００１４】
このとき、ガス注入細管は、銅製であることが好ましい。銅イオンには強力な抗菌・殺菌作用があり、本発明の水道管ユニットをより衛生的なものとすることができる。ガス注入細管の他端側が継手の流水路に到達する長さであるため、銅製のガス注入細管が流水路内の水道水に常時触れており、ここから銅イオンとなって溶け出すことで、顕著な殺菌効果等が得られるのである。
【００１５】
少なくとも、ガス室を構成する筐体を透明な樹脂材料で構成した凍結破裂防止機能付き水道管ユニットとすることもできる。水道管ユニットの凍結破裂を防止するためには、ガス室の内部を充填ガスで満たしておくことが必要である。ガス室内部の充填ガス注入量が少なかったり、万が一、充填ガスが外部に漏れていた場合には、この状態で凍結してしまうと、水道管ユニットの凍結破裂が引き起こされる危険性が高くなる。これを避けるには、充填ガスの量をチェックし、不十分な場合には追加で注入充填しておく必要がある。しかし、充填ガスの量を外部から確認することは容易ではない。一方、充填ガスの量が減少すると、水道水圧によってガス室内部に水道水が入り込み液面が上昇する現象となって現れる。そこで、ガス室を構成する筐体を透明な樹脂材料（例えば、透明な塩化ビニル樹脂）で構成すれば、充填ガスの量が一目瞭然となるのである。これによってメンテナンス性、信頼性に優れた水道管ユニットとなる。継手の筐体全体も透明な材料で構成することが好ましい。
【００１６】
同様の理由から、少なくとも、ガス室を構成する筐体に縦長状の水位確認窓を設けた凍結破裂防止機能付き水道管ユニットとすることもできる。ガス室の筐体の上部から継手の筐体の下部に亘る水位確認窓を設けることが好ましい。
【００１７】
不活性ガスは窒素ガス、二酸化炭素ガス、又はこれらの混合ガスである凍結破裂防止機能付き水道管ユニットとすることもできる。窒素ガスや二酸化炭素ガスは非常に安価であり、また容易に入手できる。
【００１８】
上記課題は、継手の流水路と連通させて流水路の上方に設けたガス室と、ガス室の内部に不活性ガスを注入充填するため、ガス室を構成する筐体の上部に設けたガス注入弁と、ガス室の内部に、一端側をガス注入弁と連通接続した状態で設けたガス注入細管とからなり、ガス注入細管の長さは、注入ガス噴出口となる他端側が継手の流水路に到達する長さであるガス室付き継手とすることでも解決される。このガス室付き継手を用いた水道管ユニットとすることで、水道水の凍結による体積膨張を不活性ガスの体積収縮によって吸収させて水道管の凍結破裂を防止することができる。
【００１９】
また上記課題は、継手の流水路と連通させて流水路の上方にガス室を設け、継手の流水路を水道水で満たした状態でガス室に不活性ガスを注入充填しておくことで、流水路内部の水道水とガス室内部の不活性ガスを直接的に接触させ、水道水の凍結による体積膨張を不活性ガスの体積収縮によって吸収させて水道管ユニットの凍結破裂を防止する方法とすることでも解決される。水道管ユニットは、少なくとも水道管と継手を備える。
【発明の効果】
【００２０】
本発明により、簡易な構成で安価に提供でき、衛生的で、かつ、凍結と解凍が繰り返されても水道管の破裂を防止できる信頼性に優れた凍結破裂防止機能付き水道管ユニット等を提供することができる。
【発明を実施するための最良の形態】
【００２１】
以下、図を用いて、本発明の実施形態を例示説明する。図１〜図４は本発明の凍結破裂防止機能付き水道管ユニットの第一実施形態を説明するための図であり、図５および図６は本発明の凍結破裂防止機能付き水道管ユニットの第二実施形態を説明するための図である。また、図７は本発明の凍結破裂防止機能付き水道管ユニットの第三実施形態を説明するための図であり、図８は本発明の凍結破裂防止機能付き水道管ユニットの第四実施形態を説明するための図である。まず、図１〜図４を用いて、第一実施形態について例示説明する。
【００２２】
［第一実施形態］
図１は本発明の凍結破裂防止機能付き水道管ユニットの第一実施形態を示す斜視図、図２は同第一実施形態を示す分解斜視図、図３は同第一実施形態を示す縦断面の端面図、図４は図３において流水路の内容積（ＶW）とガス室の内容積（ＶG）を説明するための図である。なお、図１および図２においては、流水路311を満たしている水道水９を省略している。また、図２においては、継手31の左右に接続される水道管21,22を省略している。
本第一実施形態の水道管ユニット11は、図１に示すように、左右の水道管21,22と、これらの水道管21,22を連通接続する継手31と、この継手31の流水路311と連通させて流水路311の上方に設けたガス室41（図３参照）と、このガス室41を構成する筐体410の天井部に設けたガス注入弁５とからなる。そしてガス室41の内部には、継手31の流水路311を水道水９で満たした状態で不活性ガス８が注入充填されている。なお、以降、ガス室を構成する筐体のことをガス室の筐体と略称する場合がある。
【００２３】
左右の水道管21,22は、一方の水道管21が蛇口等の吐水栓（図示せず）に接続された吐水側、他方の水道管22が給水栓（図示せず）に接続された給水側となる。
継手31は、Ｔ型継手を逆Ｔ字型に配置したものであり、その内部には左右に亘る流水路311（図３参照）が形成されて、左右の水道管21,22がそれぞれ連通接続されている。継手31の中央部には、左右に亘る流水路311と連通したガス室連通部312が上方に突出し、ガス室管411と連通接続されている。なお、このガス室連通部312は継手31の一部であるが、ガス室の筐体410の一部を構成することになる。ガス室管411の上方開口部にはガス室管キャップ412が取付けられている。
ガス室41は、図３に示すように、前述したガス室連通部312と、このガス室連通部312の上方に連通接続されたガス室管411と、このガス室管411の上方開口部に取付けられたガス室管キャップ412とで構成されるガス室の筐体410の内部空間であり、継手31の流水路311と連通させて、この流水路311の上方に設けられた状態となる。
ガス室管キャップ412には、図２に示すように、天井部に貫通孔413が開けられ、ここにガス注入弁５が貫挿されている。ガス室41の気密性を確保するため、ガス室管キャップ412とガス注入弁５の隙間を埋めるようにゴム製のオーリング61がナット62によって内側から介装されている。このオーリング介装部に、塩化ビニル系接着剤とシリコン系接着剤を順次塗布硬化させるとガス室41の気密性をより向上できる。なお、継手31のガス室連通部312とガス室管411、および、ガス室管411とガス室管キャップ412は、ガス室41の気密性を確保できるように、しっかり接着等することが重要である。
【００２４】
そして、図３に示す様に、継手31の流水路311を水道水９で満たした状態でガス室41の内部に不活性ガス８が注入充填されている。具体的には、水道管ユニット11を配管設置して、給水栓と吐水栓（どちらも図示せず）を開け、継手31の流水路311に水道水９を通過させながら、ガス注入弁５から窒素ガスや二酸化炭素ガス等の不活性ガス８を注入する。ガス室41の内部に空気が入り込んでいた場合であっても、このような手順を踏むことで、注入された不活性ガス８によってガス室41の下方に押しやられ、水道水９とともに蛇口等の吐水栓側（図示せず）から排出される。このようにして、ガス室41の内部は不活性ガス８に置換されるのである。
【００２５】
一方、水道管ユニット11の凍結破裂は、屋外でかつ地上に現れた配管部分で発生することが多い。屋内や地中に埋まった配管部分では凍結破裂しにくい。そして、水道管ユニット11の左右の水道管21,22は、それぞれの延長端部分（図示せず）が屋内や屋外に設置される場合が多いと考えられる。ここで、水道管ユニット11（左右の水道管21,22それぞれの延長端部分まで含む）のうち、屋外でかつ地上に現れた配管部分において、図４に示すように、その流水路の内容積をＶW、ガス室の内容積をＶGとすると、ＶG／ＶWは、0.1以上であることが好ましい。0.1以上であれば安定的に凍結破裂を防止できる。ＶG／ＶWは、より好ましくは0.14以上、最も好ましくは0.25以上である。ＶG／ＶWの値が高いほど凍結破裂しにくくなるが、コスト面、設置面積等を考慮すると、ＶG／ＶWは1.0以下であることが好ましい。ＶG／ＶWは、より好ましくは0.5以下、最も好ましくは0.35以下である。これは、本願発明共通の事象であり、後述する全ての実施形態においても当てはまる。なお、図４において、ＶGとＶWの境界部分は太破線で表示されている。また、ＶWの領域は図４に明示された範囲だけでなく、図の左右に拡がっている。
【００２６】
上記第１実施形態の水道管ユニット11よりも、信頼性を向上させるためには、以下に例示する構成の水道管ユニット12とすればよい。
【００２７】
［第二実施形態］
図５は本発明の凍結破裂防止機能付き水道管ユニットの第二実施形態を示す分解斜視図、図６は同第二実施形態を示す縦断面の端面図である。ここで、前述した図２同様、図５においては、継手31の左右に接続される水道管21,22と、流水路311を満たしている水道水９を省略している。なお、図５は、請求項７記載のガス室付き継手を例示する分解斜視図でもある。
本第二実施形態の水道管ユニット12も、前述した第一実施形態と同様、水道管（図示せず）と、継手31と、ガス室41（図６参照）と、ガス注入弁５からなり、ガス室41の内部には、継手31の流水路311を水道水９で満たした状態で不活性ガス８が注入充填されている。しかし、本第二実施形態は、ガス注入細管７を有する点で、前記第一実施形態とは異なる。なお、第一実施形態と同様の構成要素については同じ符号を付してある。
【００２８】
ガス注入細管７は銅製の細いパイプ状であり、その一端側71をガス注入弁５と連通接続した状態で、ガス室41の内部に垂設されている。ガス注入細管７とガス注入弁５の接続箇所からガス漏れがないよう熔接等で両者をきっちり連通接続する。そして、ガス注入細管７の長さは、図６に示す様に、一端側71がガス注入弁５と連通接続した状態で、注入ガス噴出口となる他端側72が継手31の流水路311に到達する長さである。
【００２９】
不活性ガス８の注入充填方法は、例えば、以下の手順で行うことができる。水道管ユニット12において水道管21,22が継手31の左右に接続されていない状態であるガス室付き継手を、ガス室41が流水路311の下方に位置するように上下反転させた後、ガス室41の内部に水道水等の予備水を貯溜する。この状態で、ガス室付き継手ごと冷凍庫に投入するなどして、ガス室41内部に貯溜した予備水を凍結させる。予備水が凍結した状態で継手31の左右に水道管を接続し、水道管ユニット12を配管設置する。その後、給水栓と吐水栓（どちらも図示せず）を開け、継手31の流水路311を水道水９で満たし、吐水栓のみを閉じて水圧のかかった状態とする。ガス室41内部の凍結した予備水が解けるまで放置して、最後に、ガス注入弁５から窒素ガスや二酸化炭素ガス等の不活性ガス８を注入するのである。ガス注入細管７の他端側72から水道水９中に噴出した不活性ガス８は浮力により上昇し、ガス室41の内部に存在する予備水を下方に押退けながら、ガス室41に溜ることになる。なお、ガス室41の内部に予備水を貯溜する際に、ガス注入細管７の内部にも予備水を貯溜しておくことが好ましい。
【００３０】
［第三実施形態］
図７は本発明の凍結破裂防止機能付き水道管ユニットの第三実施形態を示す縦断面の端面図である。本図に示すように、本第三実施形態の水道管ユニット13は、蛇口20と、水道管23と、蛇口20と水道管23を連通接続する継手32と、この継手32の流水路321と連通させて上方に設けたガス室42と、このガス室42の筐体420に設けたガス注入弁５と、ガス注入弁５に一端側71が連通接続された状態でガス室42の内部に垂設したガス注入細管７とからなる。そしてガス室42の内部には、継手32の流水路321を水道水９で満たした状態で不活性ガス８が注入充填されている。
【００３１】
蛇口20は吐水側となり、水道管23は給水栓（図示せず）に接続された給水側となる。
継手32は、Ｔ型継手を時計方向に90度回転させて縦型に配置したものであり、その内部には下方から左側方に亘る流水路321が形成され、水道管23と蛇口20がそれぞれ連通接続されている。継手32の上方には、流水路321と連通したガス室連通部322が突出し、その上方開口部にはガス室管キャップ422が取付けられている。本実施形態においても、ガス室連通部322は継手32の一部であるが、ガス室筐体420の一部を構成することになる。
ガス室42は、前述したガス室連通部322と、このガス室連通部の上方に取付けたガス室管キャップ422とで構成されるガス室筐体420の内部空間であり、継手32の流水路321と連通させて、この流水路321の上方に設けられている。
【００３２】
これら第一実施形態〜第三実施形態の各水道管ユニット11,12,13では、不活性ガス８の充填状態を確認しにくい。この課題は、下記第四実施形態の水道管ユニット14によって解決される。
【００３３】
［第四実施形態］
図８は本発明の凍結破裂防止機能付き水道管ユニットの第四実施形態を示す正面図である。本実施形態ではガス室を構成する筐体420に縦長状の水位確認窓45を設けた点が、前記第三実施形態と異なる。この様な構成とすることで、不活性ガス８の充填状態が一目瞭然となり、メンテナンス性、信頼性に優れた水道管ユニット14となる。本図では、不活性ガス８の充填状態が不十分なため水道水９の水位が上昇した様子を示している。この様な場合には、ガス注入弁５から窒素ガスや二酸化炭素ガス等の不活性ガス８を追加注入するのである。
【００３４】
本実施の形態では、ガス室の筐体420に納まる形状、大きさの水位確認窓45を設けたが、水位確認窓をさらに縦長にして、ガス室の筐体420上部から継手32の筐体下部に至る形状としてもよい。また、ガス室管キャップ422と継手32（ガス室連通部322も含まれる）を透明な塩化ビニル樹脂等で構成する等して、ガス室の筐体420を透明材料で構成しても同様の効果が得られる。
【００３５】
以上、特定の実施形態を参照して本発明を説明したが、本発明は上記実施形態に限定されるものではなく、当該技術分野における熟練者等により、本出願の願書に添付された特許請求の範囲から逸脱することなく、種々の変更及び修正が可能である。
【図面の簡単な説明】
【００３６】
【図１】本発明の凍結破裂防止機能付き水道管ユニットの第一実施形態を示す斜視図である。
【図２】本発明の凍結破裂防止機能付き水道管ユニットの第一実施形態を示す分解斜視図である。
【図３】本発明の凍結破裂防止機能付き水道管ユニットの第一実施形態を示す縦断面の端面図である。
【図４】図３において流水路の内容積（ＶW）とガス室の内容積（ＶG）を説明するための図である。
【図５】本発明の凍結破裂防止機能付き水道管ユニットの第二実施形態を示す分解斜視図である。
【図６】本発明の凍結破裂防止機能付き水道管ユニットの第二実施形態を示す縦断面の端面図である。
【図７】本発明の凍結破裂防止機能付き水道管ユニットの第三実施形態を示す縦断面の端面図である。
【図８】本発明の凍結破裂防止機能付き水道管ユニットの第四実施形態を示す正面図である。
【符号の説明】
【００３７】
11,12,13,14   水道管ユニット
21,22,23      水道管
31,32         継手
311,321      流水路
312,322      ガス室連通部
41,42         ガス室
412,422      ガス室管キャップ
５            ガス注入弁
７            ガス注入細管
８            不活性ガス
９            水道水
ＶG           ガス室の内容積
ＶW           流水路の内容積
【図１】
2007308992.tif 000003
【図２】
2007308992.tif 000004
【図３】
2007308992.tif 000005
【図４】
2007308992.tif 000006
【図５】
2007308992.tif 000007
【図６】
2007308992.tif 000008
【図７】
2007308992.tif 000009
【図８】
2007308992.tif 000010